(57)【要約】【課題】  扉等を開け閉めする面倒な操作を伴うことなく歯ブラシを取り出したり収納でき、また来客時は体裁良く歯ブラシ立てを隠すことができ、しかも歯ブラシの抜き差し操作を簡単且つ楽にできるようにする。【解決手段】  歯ブラシ立て１を、キャビネットの前側の外面５に、歯ブラシ２の差し込み用の上面１ａを前方斜め上方に向けて傾斜状態で着脱自在に設ける。この場合本発明は、外面５が、物品の収納部３の前側下端の角部であり、この角部が歯ブラシ立て１の背面と当接するよう傾斜面状に形成されるのが良い。また外面５に、歯ブラシ立て１を着脱操作する際のガイド溝７を形成し、このガイド溝７に係合する突条１ｆを歯ブラシ立て１の背面に形成するのが良い。【選択図】図１
2010172393.tif 000002
【特許請求の範囲】
【請求項１】
歯ブラシ立てを備えてなる歯ブラシ収納機能付きキャビネットであって、上記の歯ブラシ立てが、キャビネットの前側の外面に、歯ブラシの差し込み用の上面を前方斜め上方に向けて傾斜状態で着脱自在に設けられていることを特徴とする歯ブラシ収納機能付きキャビネット。
【請求項２】
請求項１記載の歯ブラシ収納機能付きキャビネットであって、前側の外面が、物品の収納部の前側下端の角部であり、この角部が歯ブラシ立ての背面と当接するよう傾斜面状に形成されていることを特徴とする歯ブラシ収納機能付きキャビネット。
【請求項３】
請求項２記載の歯ブラシ収納機能付きキャビネットであって、傾斜面状の外面に、歯ブラシ立てを着脱操作する際のガイド溝が形成され、このガイド溝に係合する突条が歯ブラシ立ての背面に形成されていることを特徴とする歯ブラシ収納機能付きキャビネット。
【請求項４】
請求項１乃至３の何れかに記載の歯ブラシ収納機能付きキャビネットであって、キャビネットの前側の外面に、バーが左右方向に延びて横向きに設けられ、このバーに引っ掛けて係合させる引っ掛け部が歯ブラシ立てに形成されていることを特徴とする歯ブラシ収納機能付きキャビネット。
【請求項５】
請求項１乃至４の何れかに記載の歯ブラシ収納機能付きキャビネットであって、歯ブラシ立ての収納箇所の高さが、調節自在に形成されていることを特徴とする歯ブラシ収納機能付きキャビネット。
【請求項６】
請求項１乃至５の何れかに記載の歯ブラシ収納機能付きキャビネットであって、歯ブラシ立ての上面の前後に、歯ブラシの柄を差し込むための孔が左右方向に位置がずらされて複数形成されていることを特徴とする歯ブラシ収納機能付きキャビネット。
【請求項７】
請求項１乃至６の何れかに記載の歯ブラシ収納機能付きキャビネットであって、歯ブラシ立ての内部の底面が、歯ブラシ立ての前側に向かって下り傾斜状に形成され、歯ブラシ立てが垂直に配置されると、歯ブラシが後傾状に支持されることを特徴とする歯ブラシ収納機能付きキャビネット。
【発明の詳細な説明】
【技術分野】
【０００１】
本発明は、洗面化粧台等のキャビネットに関し、更に詳しくは歯ブラシを収納する機能を備えた歯ブラシ収納機能付きキャビネットに関するものである。
【背景技術】
【０００２】
従来この種のキャビネットとしては、例えば特許文献１に記載されているものがある。この従来品は、歯ブラシ立てを収納する凹み所を備え、この凹み所の下板上に歯ブラシ立てを、前側に倒れることがないよう設けているものである。
【０００３】
ところでこの種のキャビネットは、使い勝手が良くなるよう、扉などを開け閉めする面倒な操作を伴うことなく歯ブラシを取り出したり収納したりでき、また来客時等は歯ブラシ立てを隠して配置でき、しかも歯ブラシ立てに歯ブラシを簡単且つ楽に抜き差しできるよう形成されているのが望ましい。
しかるに従来品は、特許文献１に記載されているように、歯ブラシ立てが扉の中に設けられているのが通例であった。
従って従来品の場合は、歯ブラシを抜き差しするとき、扉の開け閉めという面倒な操作を伴い、また歯ブラシを扉の中で抜き差しする必要があったから歯ブラシの抜き差し操作が不便で、その結果使い勝手が悪い、という問題点があった。
【先行技術文献】
【特許文献】
【０００４】
【特許文献１】実公昭６１−１８２６号公報
【発明の概要】
【発明が解決しようとする課題】
【０００５】
本発明は、このような従来品の問題点に鑑み、提案されたものである。
従って本発明の解決しようとする技術的課題は、扉等を開け閉めする面倒な操作を伴うことなく歯ブラシを取り出したり収納したりでき、また来客時は体裁良く歯ブラシ立てを隠すことができ、しかも歯ブラシの抜き差し操作を簡単且つ楽にできるよう形成した使い勝手の良い歯ブラシ収納機能付きキャビネットを提供することにある。
【課題を解決するための手段】
【０００６】
本発明は、上記の課題を解決するため、次のような技術的手段を採る。
即ち本発明は、図１等に示されるように、歯ブラシ立て１を備えてなる歯ブラシ収納機能付きキャビネットであって、上記の歯ブラシ立て１が、キャビネットの前側の外面５に、歯ブラシ２の差し込み用の上面１ａを前方斜め上方に向けて傾斜状態で着脱自在に設けられていることを特徴とする（請求項１）。
【０００７】
本発明の場合、歯ブラシ立て１はキャビネットの前側の外面５に上面１ａを前方斜め上方に向けて傾斜状態で設けられているのであれば、着脱の仕方は任意である。着脱の仕方は、キャビネットの前側の外面５に、例えば嵌合したり、引っ掛けたり、或いはマグネットで吸着させること等によって実現される。
【０００８】
而して本発明の場合、キャビネットの前側の外面５が、物品の収納部３の前側下端の角部であり、この角部が歯ブラシ立て１の背面と当接するよう傾斜面状に形成されているのが好ましい（請求項２）。
なぜならこれによると、歯ブラシ立て１の取り付け箇所をキャビネットの前側の外面５に特別に講じることなく、歯ブラシ立て１を体裁良く取り付けることができ、また物品の収納部３内に歯ブラシ立て１を収納して隠したときも、歯ブラシ立て１の取り付け箇所が目立つことを防止できるからである。本発明の場合、傾斜面状の外面５は、収納部３の左右方向の全長にわたって形成されている場合には限られず、一部でも良い。
【０００９】
またこの本発明の場合は、図６、図７に示されるように、傾斜面状の外面５に、歯ブラシ立て１を着脱操作する際のガイド溝７が形成され、このガイド溝７に係合する突条１ｆが歯ブラシ立て１の背面に形成されているのが好ましい（請求項３）。
なぜならこれによると、安定した状態で歯ブラシ立て１を着脱操作でき、また歯ブラシ立て１が不用意に左右に移動することを防止できるからである。
【００１０】
また本発明は、キャビネットの前側の外面５に、バー６が左右方向に延びて横向きに設けられ、このバー６に引っ掛けて係合させる引っ掛け部１ｄが歯ブラシ立て１に形成されているのが好ましい（請求項４）。
なぜならこれによると、歯ブラシ立て１の着脱を、簡単且つ安価な構造で実現できるからである。
【００１１】
また本発明は、図８に示されるように、歯ブラシ立て１の収納箇所１ｇの高さが、調節自在に形成されているのが好ましい（請求項５）。
なぜならこれによると、柄の長い収納物８を安定した姿勢で収納でき、使い勝手が良くなるからである。
【００１２】
また本発明は、図５、図９に示されるように、歯ブラシ立て１の上面１ａの前後に、歯ブラシ２の柄２ａを差し込むための孔１ｃが左右方向に位置がずらされて複数形成されているのが好ましい（請求項６）。
なぜならこれによると、前後の歯ブラシ２同士が接触したり、ブラシ部分から垂れる水が他の歯ブラシ２にかかることを防止でき、また奥側（後側）の歯ブラシ２の抜き差しを楽にできるからである。
【００１３】
更に本発明は、図１０〜図１２に示されるように、歯ブラシ立て１の内部の底面１ｉが、歯ブラシ立て１の前側に向かって下り傾斜状に形成され、歯ブラシ立て１が垂直に配置されると、歯ブラシ２が後傾状に支持されるのが好ましい（請求項７）。
なぜならこれによると、歯ブラシ立て１をキャビネットの前側の外面５から取り外して所定箇所に立てて配置したとき、歯ブラシ２を後傾姿勢で整然と収納できるからである。またこの場合は、歯ブラシ立て１の上面１ａを開口したり、差し込み用の孔１ｃを大きくしても歯ブラシ２を整然と収納できるから、これによると上面１ａを開口できたり、孔１ｃを大きくできる分、歯ブラシ２の抜き差し操作を容易化できるものである。
【発明の効果】
【００１４】
本発明は、このように歯ブラシ立てが、キャビネットの前側の外面に、上面を前方斜め上方に向けて傾斜状態で着脱自在に設けられているものである。
従って本発明によれば、前側の外面に歯ブラシが傾いて収納されるから歯ブラシの抜き差し操作を簡単且つ楽にでき、また来客時等は歯ブラシ立てを前側の外面から取り外して隠すことができ、使い勝手が良くなるものである。
【図面の簡単な説明】
【００１５】
【図１】本発明のキャビネットの好適な一実施形態を示し、Ａは斜視図、Ｂは要部側面図である。
【図２】同上キャビネットの要部斜視図である。
【図３】歯ブラシ立ての分解斜視図である。
【図４】歯ブラシ立ての配置例を説明するための斜視図である。
【図５】同上キャビネットの他の実施形態を示す要部斜視図である。
【図６】同上キャビネットの他の実施形態を示す要部斜視図である。
【図７】図６の本発明品の要部側面図である。
【図８】歯ブラシ立ての他の実施形態を示す斜視図である。
【図９】歯ブラシ立ての他の実施形態を示す平面図である。
【図１０】歯ブラシ立ての他の実施形態を示す斜視図である。
【図１１】図１０の歯ブラシ立ての一部を切欠した要部斜視図である。
【図１２】図１０の歯ブラシ立ての側面図である。
【発明を実施するための形態】
【００１６】
以下、本発明を実施するための形態を、図面に基づいて具体的に説明する。
【実施例１】
【００１７】
本発明は、図１等に示されるように、歯ブラシ立て１を備えてなる歯ブラシ収納機能付きキャビネットである。歯ブラシ立て１の歯ブラシ２の差し込み用の上面１ａは、この実施形態では蓋１ｂで塞がれ、蓋１ｂには歯ブラシ２の柄２ａを差し込むための孔１ｃが形成されている。物品の収納部３は、前面がミラー付きの扉４で覆われている。
【００１８】
また上記の歯ブラシ立て１は、キャビネットの前側の外面５に、上面１ａを前方斜め上方に向けて傾斜状態で着脱自在に設けられている。この実施形態の場合、キャビネットの前側の外面５は、物品の収納部３の前側下端の角部である。前側の外面５としてのこの角部は、歯ブラシ立て１の背面と当接するよう傾斜面状に形成されている。
【００１９】
またこの実施形態の本発明品は、キャビネットの前側の外面５としての角部に、バー６が左右方向に延びて横向きに設けられている。歯ブラシ立て１は、このバー６に引っ掛けて係合させる引っ掛け部１ｄが形成されている。引っ掛け部１ｄは、歯ブラシ立て１の奥側に、歯ブラシ立て１の両側面を開口した状態で下面から背面に沿って深溝状に切り欠かれて形成されている。
【００２０】
而して本発明品の場合、ユーザーが、歯ブラシ立て１を、キャビネットの前側から引っ掛け部１ｄをバー６に係合させて背面をキャビネットの外面５に擦接させながら引っ掛け部１ｄの最深部（上端部）まで押し込むと、歯ブラシ立て１が、図１等に示されるように、背面を外面５に当接させた状態で外面５に傾斜状に取り付けられる。この場合、歯ブラシ立て１に収納されている歯ブラシ２も斜めに配置される。従って本発明品によると、歯ブラシ２を楽に抜き差しできるものである。
【００２１】
また来客等の際に、歯ブラシ立て１を隠したいときは、歯ブラシ立て１を手前側に引いてバー６から取り外す。そしてユーザーは、図４に示されるように、歯ブラシ立て１を扉４の中の収納部３に配置して使用する。
【００２２】
以上の処において、本発明の場合、歯ブラシ立て１は、その上面１ａがキャビネットの前方斜め上方に向けられて傾斜状に設けられるのであれば、その着脱構造は任意であり、上例のようにバー６に引っ掛けられる場合には限られない。
また本発明品は、歯ブラシ立て１が設けられる外面５の位置についても、上例のような収納部３の前側下端の角部に限定されるものではない。
【実施例２】
【００２３】
また本発明品は、歯ブラシ立て１の背面がキャビネットの前側の外面５に当接する場合も、上例のように背面の全体が外面５に当接する場合には限定されない。即ち、本発明品は、例えば図５に示されるように、突段差部１ｅの後面を介して背面の一部が外面５に当接するよう形成されているのでも良い。
【実施例３】
【００２４】
また本発明は、図６、図７に示されるように、傾斜面状の外面５に、歯ブラシ立て１を着脱操作する際のガイド溝７が形成され、このガイド溝７に係合する突条１ｆが歯ブラシ立て１の背面に形成されているのでも良い。この実施形態の場合、ガイド溝７は、傾斜面状の外面５に、傾斜方向に延びて外面５の全長にわたって断面略半円形の凹湾曲状に１個形成されている。また突条１ｆは、歯ブラシ立て１の背面の左右方向の中央位置に、断面略半円形の凸湾曲状に歯ブラシ立て１の縦方向に延びて形成されている。
【実施例４】
【００２５】
また本発明品は、図８に示されるように、歯ブラシ立て１の収納箇所１ｇの高さが、調節自在に形成されているのでも良い。収納箇所１ｇは、この実施形態では擦接状態で上下動する縦筒状の内枠１ｈを備えて形成されている。ユーザーは、例えばヘアーブラシのように柄の長い収納物８の場合は、収納姿勢が安定化するよう、内枠１ｈを上方に引き出して収納箇所１ｇの高さを高くして使用する。内枠１ｈは、この実施形態では擦接摩擦により保持され、落下が防止されるよう形成されている。
【実施例５】
【００２６】
また本発明は、図５、図９に示されるように、歯ブラシ立て１の上面１ａの前後に、歯ブラシ２の柄２ａを差し込むための孔１ｃが左右方向に位置がずらされて複数形成されているのでも良い。図５に示される実施形態の場合は、歯ブラシ立て１を上から見て前後の孔１ｃの列が斜めになるよう位置がずらされて形成されている。また図９に示される実施形態の場合は、歯ブラシ立て１を上から見て、後側の孔１ｃの間に前側の孔１ｃが配置されるよう、孔１ｃが左右方向に位置がずらされて形成されている。なお、孔１ｃは、歯ブラシ立て１の上面１ａに穿たれているのでも、或いは上面１ａを覆う蓋１ｂ（図３参照）に形成されているのでも良い。
【実施例６】
【００２７】
更に本発明は、図１０〜図１２に示されるように、歯ブラシ立て１の内部の底面１ｉ（図１１参照）が、歯ブラシ立て１の前側に向かって下り傾斜状に形成され、歯ブラシ立て１が垂直に配置されると、歯ブラシ２（図１２参照）が後傾状に支持されるよう形成されているのでも良い。この実施形態の場合、内部の底面１ｉは、凹湾曲状に形成されている。また孔１ｃは、蓋１ｂの前後方向の中間部に、左右方向にわたって横並び状に形成され、この孔１ｃと孔１ｃの間に対応して、仕切り１ｊ（図１１参照）が底面１ｉに形成されている。
【００２８】
歯ブラシ２は、柄２ａが孔１ｃから差し込まれると、下端が左右方向に多少ずれても仕切り１ｊで矯正され、底面１ｉに沿って前側に導かれる。そして孔１ｃから差し込まれた歯ブラシ２は、この実施形態の場合は、孔１ｃの後側の口縁に支持され、後傾状に収納される。
【符号の説明】
【００２９】
１      歯ブラシ立て
１ａ    上面
２      歯ブラシ
５      前側の外面
【図１】
2010172393.tif 000003
【図２】
2010172393.tif 000004
【図３】
2010172393.tif 000005
【図４】
2010172393.tif 000006
【図５】
2010172393.tif 000007
【図６】
2010172393.tif 000008
【図７】
2010172393.tif 000009
【図８】
2010172393.tif 000010
【図９】
2010172393.tif 000011
【図１０】
2010172393.tif 000012
【図１１】
2010172393.tif 000013
【図１２】
2010172393.tif 000014